(57)【要約】【課題】アルバム製作におけるアルバムのレイアウトを制限なく簡単な処理で行う。【解決手段】アルバム製作会社サーバ１はアルバムを製作するための入力情報及びレイアウト情報を提供すると共に、入力済みの入力情報及びレイアウト済みのレイアウト情報を受け取る。そして、受け取った情報に基づいてアルバム製作情報を出力する。ユーザ端末２は、アルバム製作会社サーバ１から提供された入力情報に対して入力条件を入力可能とすると共に、入力条件に対応するレイアウト情報に対して写真を含むアルバム情報を任意にレイアウト可能とする。そして、入力済みの入力情報及びレイアウト済みのレイアウト情報をアルバム製作会社サーバ１に送信する。ネットワーク４はアルバム製作会社サーバ１及びユーザ端末２を通信可能に接続する。【選択図】図１
2008129939.tif 000002
【特許請求の範囲】
【請求項１】
ユーザ端末と、アルバム製作側サーバとからなる、複数の写真をまとめたアルバムの製作を支援するアルバム製作支援システムであって、
前記ユーザ端末は、
前記アルバム製作側サーバから送信された入力情報を受信して入力条件を入力可能とすると共に、前記入力条件に対応するレイアウト情報に対して写真を含むアルバム情報を任意にレイアウト可能とし、前記入力済みの入力情報及び前記レイアウト済みのレイアウト情報を前記アルバム製作側サーバに送信し、
前記アルバム製作側サーバは、
前記アルバムを製作するための前記入力情報及びレイアウト情報を前記ユーザ端末に送信すると共に、入力済みの入力情報及びレイアウト済みのレイアウト情報を前記ユーザ端末から受信して、前記受信した情報に基づいてアルバム製作情報を出力し、
前記アルバム製作側サーバ及び前記ユーザ端末とはネットワークによって通信可能に接続されていると共に、
前記レイアウト済みのレイアウト情報は、写真及び該写真に対応するコメントにそれぞれ対応する音声情報を含み、
前記音声情報は前記ネットワークに接続される音声登録サーバに録音され、
前記アルバムのページ毎に配置されるＲＦＩＤタグに、当該ページが開かれる毎に前記ユーザ端末において前記音声情報に対してアクセス及び再生可能に前記音声登録サーバのＵＲＬが記憶される
を特徴とするアルバム製作支援システム。
【請求項２】
請求項１記載のアルバム製作支援システムにおいて、
前記アルバム製作側サーバから送信される前記入力情報は、前記ユーザ端末において前記入力情報の各項目に対して選択又は記述入力可能な入力画面とされ、
前記入力画面には、アルバムのページ数に応じた料金が表示される
ことを特徴とするアルバム製作支援システム。
【請求項３】
請求項１記載のアルバム製作支援システムにおいて、
前記アルバム製作側サーバから送信される前記入力情報は、予めオペレータによりアルバム製作のための入力情報となるアルバムの形態やページ数などの必須項目が入力されることにより、入力された必須項目に対応する表示項目を含む入力画面として生成される
ことを特徴とするアルバム製作支援システム。
【請求項４】
請求項１記載のアルバム製作支援システムにおいて、
前記アルバム製作側サーバから送信される前記レイアウト情報は、前記ユーザ端末においてレイアウトすべき写真を含む情報を入力するためのアップロード画面と、前記アップロード画面に入力された前記情報を任意にレイアウトするためのレイアウト画面とを含む
ことを特徴とするアルバム製作支援システム。
【請求項５】
請求項４記載のアルバム製作支援システムにおいて、
前記アップロード画面に入力された写真及び該写真に対応するコメントを含む前記情報に対する、前記任意のレイアウトは前記写真のサイズ及び前記コメントのフォントの設定を含むものである
ことを特徴とするアルバム製作支援システム。
【請求項６】
請求項４記載のアルバム製作支援システムにおいて、
前記アップロード画面に入力された前記写真及びコメントに対応する音声情報を含む前記情報について、前記写真、コメント及び音声情報は前記アップロード画面に入力されると、前記写真、コメント及び音声情報を表すアイコンで表示され、前記アイコンはドラッグアンドドロップにより前記アップロード画面から前記レイアウト画面へ移動可能とされ、
かつ前記レイアウト画面上で任意の配置位置にレイアウト可能とされる
ことを特徴とするアルバム製作支援システム。
【請求項７】
請求項４記載のアルバム製作支援システムにおいて、
前記アップロード画面上で、入力された前記写真、コメント及び音声情報を表すアイコンを表示させると共に、前記アイコンの前記レイアウト画面上での繰り返し使用回数を表す数字のアイコンを表示する
ことを特徴とするアルバム製作支援システム。
【請求項８】
請求項４記載のアルバム製作支援システムにおいて、
前記アップロード画面に入力された前記写真及びコメントに対応する音声情報を含む前記情報について、前記音声情報は前記アルバムのページ毎に配置される記憶媒体に、当該ページが開かれる毎に、前記アルバムから直接又は前記ユーザ端末において再生可能に録音される
ことを特徴とするアルバム製作支援システム。
【請求項９】
請求項４記載のアルバム製作支援システムにおいて、
前記アルバム製作側サーバから前記ユーザ端末に送信される前記レイアウト画面は、前記アルバムのページ毎に送信され、前記アップロード画面は前記アルバムの全ページに亘ってスクロール可能となるように前記アルバム毎に送信される
ことを特徴とするアルバム製作支援システム。
【請求項１０】
ユーザ端末とアルバム製作側サーバをネットワークで接続し、前記ユーザ端末と前記アルバム製作側サーバ間での情報の送信及び受信により複数の写真をまとめたアルバムの製作を支援するアルバム製作支援方法であって、
前記ユーザ端末からアルバム製作側サーバへアルバム製作依頼データを送信するステップと、
前記アルバム製作側サーバから前記ユーザ端末へ前記アルバムを製作するための入力情報及び料金情報並びにレイアウト情報を送信するステップと、
前記アルバム製作側サーバから送信された前記入力情報を受信して前記ユーザ端末において前記アルバム毎に入力条件を入力すると共に、前記入力条件に対応する前記レイアウト情報に対して前記アルバムのページ毎に写真を含むアルバム情報を任意にレイアウトするステップと、
前記ユーザ端末から前記アルバム毎に入力済みの入力情報を前記アルバム製作側サーバに送信すると共に、前記アルバムのページ毎にレイアウト済みのレイアウト情報を前記アルバム製作側サーバに送信するステップと、
前記アルバム製作側サーバが前記ユーザ端末から前記入力済みの入力情報及び前記レイアウト済みのレイアウト情報を受信して、前記受信した情報に基づいてアルバム製作情報を出力するステップと、
を含むことを特徴とするアルバム製作支援方法。
【請求項１１】
ユーザ端末とアルバム製作側サーバをネットワークで接続し、前記ユーザ端末と前記アルバム製作側サーバ間での情報の送信及び受信により複数の写真をまとめたアルバムの製作を支援するための各種機能を、コンピュータに実行させるアルバム製作支援プログラムであって、
前記アルバム製作側サーバから前記ユーザ端末へ前記アルバムを製作するための入力情報及びレイアウト情報を送信する機能と、
入力済みの入力情報及びレイアウト済みのレイアウト情報を前記ユーザ端末から受信して、前記受信した情報に基づいてアルバム製作情報を出力する機能と、
前記ユーザ端末において、前記アルバム製作側サーバから送信された前記入力情報に対して入力条件を入力可能とする機能と、
前記入力条件に対応する前記レイアウト情報に対して写真を含むアルバム情報を任意にレイアウト可能とすることにより、前記入力済みの入力情報及び前記レイアウト済みのレイアウト情報を前記アルバム製作側サーバに送信する機能と、
をコンピュータに実現させることを特徴とするアルバム製作支援プログラム。
【発明の詳細な説明】
【技術分野】
【０００１】
本発明は、複数の写真を本形式でまとめたアルバムの製作を支援するためのアルバム製作支援システム、アルバム製作支援方法及びアルバム製作支援プログラムに関する。
【背景技術】
【０００２】
従来から、デジタルカメラで撮像したデジタル写真を用いて本形式のアルバムの製作を行うアルバム製作サービスがあった。このアルバム製作サービスは、ユーザが選んだアルバムに載せたい写真を、予め定められたページレイアウトに従って順番に配置していくものである。
【０００３】
また、電子アルバム装置として、複数の画像データを含むアルバムデータを再生して、コマ画像をページに貼り付けた形態でディスプレイに表示する画像表示装置が提案されている（特許文献１参照）。この画像表示装置は、装置本体にＩＣ（Integrated Circuit）メモリタグ内の画像データを読み取るためのデータ読み取り手段を設けることにより、ＰＣ（Personal Computer）やデジタルカメラを用いることなく電子アルバム装置に画像を取り込めるようにしている。ここでＩＣメモリタグには、記録材料にプリントされた画像データが記憶されたており、上記装置本体に設けられた読み取り手段は、このＩＣメモリタグ付き写真プリントと非接触で交信して読み取りを行っている。
【０００４】
【特許文献１】特開２００５−５７３８７号公報
【発明の開示】
【発明が解決しようとする課題】
【０００５】
従来のアルバム製作サービスでは、予め定められたページレイアウトが複数用意されていて、その中から任意に選択可能であった。しかし、ページレイアウトそのものに制限があるため、写真の配置位置や配置サイズなどをユーザの意図通りに設定することができなかった。このため、各ページレイアウトの制限の範囲内で写真の配置位置や配置サイズなどを選択するための試行を繰り返す必要があり、アルバムのレイアウトの完成までに非常に多くの手間がかかり、処理が煩雑であった。
【０００６】
また、特許文献１記載の電子アルバム装置は、ＩＣメモリタグ付き写真プリントから読み取った画像データをディスプレイに表示する際に表示のコマ数が選択できるだけで自由なレイアウトを行うことはできなかった。すなわち、予め定められた初期設定の６コマ表示から４コマ表示、１コマ表示又はインデックス表示のいずれかを選択できるのみで、本形式のアルバム製作に適用できるものではなかった。
【０００７】
そこで、本発明は、本形式のアルバム製作におけるアルバムのレイアウトを制限なく簡単な処理で行うことができるアルバム製作支援システム、アルバム製作支援方法及びアルバム製作支援プログラムを提供することを目的とするものである。
【課題を解決するための手段】
【０００８】
上記課題を解決し、本発明の目的を達成するため、本発明は、ユーザ端末と、アルバム製作側サーバとからなる、複数の写真をまとめたアルバムの製作を支援するアルバム製作支援システムであって、ユーザ端末は、アルバム製作側サーバから送信された入力情報に対して入力条件を入力可能とすると共に、入力条件に対応するレイアウト情報に対して写真を含むアルバム情報を任意にレイアウト可能とし、入力済みの入力情報及びレイアウト済みのレイアウト情報をアルバム製作側サーバに送信し、一方、アルバム製作側サーバは、アルバムを製作するための入力情報及びレイアウト情報をユーザ端末に送信すると共に、入力済みの入力情報及びレイアウト済みのレイアウト情報をユーザ端末から受信して、この受信した情報に基づいてアルバム製作情報を出力し、アルバム製作側サーバ及びユーザ端末とがネットワークによって通信可能に接続されていると共に、レイアウト済みのレイアウト情報は、写真及び該写真に対応するコメントにそれぞれ対応する音声情報を含み、音声情報はネットワークに接続される音声登録サーバに録音され、アルバムのページ毎に配置されるＲＦＩＤタグに、そのページが開かれる毎にユーザ端末において音声情報に対してアクセス及び再生可能に音声登録サーバのＵＲＬが記憶されることを特徴としている。
【０００９】
また、本発明のアルバム製作支援方法は、ユーザ端末とアルバム製作側サーバをネットワークで接続し、ユーザ端末とアルバム製作側サーバ間での情報の送信及び受信により複数の写真をまとめたアルバムの製作を支援するアルバム製作支援方法であって、ユーザ端末からアルバム製作側サーバへアルバム製作依頼データを送信するステップと、アルバム製作側サーバからユーザ端末へアルバムを製作するための入力情報及び料金情報並びにレイアウト情報を送信するステップと、アルバム製作側サーバから送信された入力情報に対してユーザ端末においてアルバム毎に入力条件を入力すると共に、この入力条件に対応するレイアウト情報に対して、アルバムのページ毎に写真を含むアルバム情報を任意にレイアウトするステップと、ユーザ端末からアルバム毎に入力済みの入力情報をアルバム製作側サーバに送信すると共に、アルバムのページ毎にレイアウト済みのレイアウト情報をアルバム製作側サーバに送信するステップと、アルバム製作側サーバがユーザ端末から入力済みの入力情報及びレイアウト済みのレイアウト情報を受信して、この受信した情報に基づいてアルバム製作情報を出力するステップと、を含むものである。
【００１０】
また、本発明のアルバム製作支援プログラムは、ユーザ端末とアルバム製作側サーバをネットワークで接続し、ユーザ端末とアルバム製作側サーバ間での情報の送信及び受信により複数の写真をまとめたアルバムの製作を支援するための各種機能を、コンピュータに実行させるアルバム製作支援プログラムであって、アルバム製作側サーバからユーザ端末へアルバムを製作するための入力情報及びレイアウト情報を送信する機能と、入力済みの入力情報及びレイアウト済みのレイアウト情報をユーザ端末から受信して、この受信した情報に基づいてアルバム製作情報を出力する機能と、ユーザ端末において、アルバム製作側サーバから送信された入力情報に対して入力条件を入力可能とする機能と、入力条件に対応するレイアウト情報に対して写真を含むアルバム情報を任意にレイアウト可能とすることにより、入力済みの入力情報及びレイアウト済みのレイアウト情報をアルバム製作側サーバに送信する機能と、をコンピュータに実現させることを特徴としている。
【発明の効果】
【００１１】
本発明によれば、ネットワークを介したユーザ端末とアルバム製作側サーバとの間の情報のやり取りにより複数の写真をまとめたアルバムの製作の支援を効果的に行うことができる。そしてその場合に、アルバム製作側サーバは製作依頼のあるユーザ端末へアルバムを製作するための入力情報及びレイアウト情報を提供することにより、アルバム製作側サーバはユーザ端末にアルバム製作に必要な情報を簡単に入力可能にすることができる。
【００１２】
また、ユーザ端末においてアルバム製作側サーバから提供された入力情報に対して入力条件を入力可能とすると共に、入力条件に対応するレイアウト情報に対して写真を含むアルバム情報を任意にレイアウト可能とする。これにより、ユーザはユーザ端末において入力条件を入力することで希望のアルバムの概要を簡単に入力することができ、かつこのアルバムのレイアウト情報として何ら制限なく写真を含むアルバム情報を好みの配置位置及び大きさにレイアウトすることができる。
【００１３】
また、アルバム製作側サーバは入力済みの入力情報及びレイアウト済みのレイアウト情報をユーザ端末から受け取って、受け取った情報に基づいてアルバム製作情報を出力する。そして、アルバム製作側はユーザの希望するアルバム製作の出力情報を簡単に入手して、アルバム製作をすることができる。さらに、製作したアルバムをユーザに発送することができる。
【発明を実施するための最良の形態】
【００１４】
以下、本発明の実施の形態について、適宜、図面を参照しながら説明する。
図１は、本発明のアルバム製作支援システムの概略構成を示すシステム構成図である。
このアルバム製作支援システムは、複数の写真を本形式でまとめたアルバムの製作を支援するものであって、図１に示すように、アルバム製作会社サーバ１とユーザ端末２と音声登録サーバ３がネットワーク４を介して接続される構成になっている。そしてネットワーク４を介して端末サーバ間で通信を行うことにより、アルバムの製作を支援するための情報のやり取りを行っている。
【００１５】
図１において、まず、アルバム製作会社サーバ１は、アルバムを製作するための入力情報及びレイアウト情報をユーザ端末２に提供する。そして、入力済みの入力情報及びレイアウト済みのレイアウト情報をユーザ端末２から受け取って、受け取った情報に基づいてアルバム製作情報を出力する。
【００１６】
また、ユーザ端末２は、アルバム製作会社サーバ１から提供された入力情報に対して入力条件を入力可能とする。そして入力条件に対応するレイアウト情報に対して写真を含むアルバム情報を任意にレイアウト可能とする。これにより、入力済みの入力情報及びレイアウト済みのレイアウト情報をアルバム製作会社サーバ１に送信する。
【００１７】
また、音声登録サーバ３は、アルバムが音声情報を含むときに音声情報を録音しておくものである。そして、アルバムのページ毎に配置されるＲＦＩＤ（Radio Frequency Identification）タグに音声登録サーバ３のＵＲＬ（Uniform Resource Locator）が記憶されており、当該ページが開かれる毎にユーザ端末２においてアクセス及び再生可能になっている。
【００１８】
図２は、アルバム製作会社サーバのブロック構成図である。
図２において、アルバム製作会社サーバ１は、ネットワーク４を介してユーザ端末２又は音声登録サーバ３と通信を行う通信部１１と、アルバム製作支援部１２と、アルバム製作出力部１３とを有している。そして、アルバム製作支援部１２は、アルバムを製作するための入力情報及びレイアウト情報をユーザ端末２に提供すると共に、入力済みの入力情報及びレイアウト済みのレイアウト情報をユーザ端末２から受け取る。アルバム製作出力部１３は、受け取った情報に基づいてアルバム製作情報を出力する。
【００１９】
また、アルバム製作会社サーバ１は、ネットワーク４に対するインターフェース部と、アルバム毎の入力情報及びページ毎のレイアウト情報を格納する記憶部と、後述するアルバム製作支援プログラムにより動作するコンピュータとをハードウエアとして備えている。
また、アルバム製作会社サーバ１は、ネットワーク４を介した情報のやり取りによりアルバム製作会社サーバ１及びユーザ端末２のコンピュータに複数の写真を本形式でまとめたアルバムの製作を支援するためのアルバム製作支援プログラムを備えている。
【００２０】
このアルバム製作支援プログラムは、コンピュータに以下のような機能を実現するプログラムである。まず、アルバム製作会社サーバ１からユーザ端末２へアルバムを製作するための入力情報及びレイアウト情報を提供する。そして、入力済みの入力情報及びレイアウト済みのレイアウト情報をユーザ端末２から受け取って、受け取った情報に基づいてアルバム製作情報を出力する。
【００２１】
また、ユーザ端末２においてアルバム製作会社サーバ１から提供された入力情報に対して入力条件を入力可能とする。そして、入力条件に対応するレイアウト情報に対して写真を含むアルバム情報を任意にレイアウト可能とすることにより、入力済みの入力情報及びレイアウト済みのレイアウト情報をアルバム製作会社サーバ１に送信する。
また、このアルバム製作支援プログラムは、アルバム製作会社サーバ１とユーザ端末２を、ネットワーク４を介して通信可能に接続する機能も備えている。
【００２２】
図３は、ユーザ端末のブロック構成図である。
図３において、ユーザ端末２は、ネットワーク４を介してアルバム製作会社サーバ１又は音声登録サーバ３と通信を行う通信部２１と、アルバム製作用入力部２２と、音声出力部２３と、音声源読取アクセス部２４を備えている。アルバム製作用入力部２２は、アルバム製作会社サーバ１から提供された入力情報に対して入力条件を入力可能とすると共に、入力条件に対応するレイアウト情報に対して写真を含むアルバム情報を任意にレイアウト可能とする。そして、入力済みの入力情報及びレイアウト済みのレイアウト情報をアルバム製作会社サーバ１に送信する
【００２３】
また、ユーザ端末２は、ネットワーク４に対するインターフェース部と、アルバム毎の入力情報及びページ毎のレイアウト情報を格納する記憶部と、アルバム製作支援プログラムにより動作するコンピュータとをハードウエアとして備えていて、例えば、ＰＣやモバイル電子端末、携帯電話等で構成される。
【００２４】
また、音声出力部２３は、アルバムが音声情報を含むとき、アルバムのページが開かれる毎にアルバムから直接又はユーザ端末において音声情報を再生する。この音声情報は、アルバムのページ毎に配置される記憶媒体に録音されており、当該ページが開かれる毎にアルバムから直接又はユーザ端末において再生可能になっている。
【００２５】
また、音声源読取アクセス部２４は、音声出力部２３と共に（又は音声出力部２３に代えて）アルバムのページが開かれる毎にページ毎に配置されるＲＦＩＤタグに記憶されている音声登録サーバ３のＵＲＬにアクセスして音声情報を再生する。
ここで、アルバムが音声情報を含む場合には、そのページ毎に音声情報が音声サーバ３に録音されている。また、アルバムのページ毎に配置されるＲＦＩＤタグには、音声登録サーバ３のＵＲＬが記憶されていて、当該ページが開かれる毎にユーザ端末２においてアクセス及び再生が可能となっている。
【００２６】
図４は、音声登録サーバのブロック構成図である。
図４において、音声登録サーバ３は、ネットワーク４を介してアルバム製作会社サーバ１又はユーザ端末２と通信を行う通信部３１と、音声登録部３２と、音声再生部３３から構成されている。音声登録部３２は、アルバムが音声情報を含むものであるとき、アルバム製作会社サーバ１からアルバムのページ毎に音声情報を録音する。音声再生部３３は、ユーザ端末２から音声登録サーバ３のＵＲＬにアクセスがあると、アルバムのページが開かれる毎に、当該ページの音声情報を自動再生する。
【００２７】
以下、アルバム製作会社サーバ１の詳細な構成を説明する。
図５は、通信部のブロック図である。なお、図５に示す通信部は、アルバム製作会社サーバ１、ユーザ端末２又は音声登録サーバ３で共通に使用される。
図５において、通信部１１は、通信相手のユーザ端末２又は音声登録サーバ３との送受信を行う送受信部５１と、許可された通信相手であるかどうかを認証する認証部５２と、受信データを復号化する施錠／開錠部５３とから構成されている。通信部１１は、ネットワーク４に対応する通信プロトコルで通信相手のネットワーク４上のアドレスにアクセスしてデータを送信すると共に通信相手からのデータを受信する。認証部５２は、通信相手の識別符号から許可された通信相手であるか否かを認証する。そして、施錠／開錠部５３は、送信時に送信データに鍵をかけて暗号化すると共に受信時に受信データを鍵で開けて復号化する。
【００２８】
図６は、アルバム製作支援部のブロック図である。
図６において、アルバム製作支援部１２は、アップロード画面・アルバムレイアウト画面生成・供給部６１と、入力画面生成・供給部６２と、アルバムレイアウト画面受取部６４と、入力画面受取部６３から構成される。
ここで、アップロード画面・アルバムレイアウト画面生成・供給部６１は、レイアウトすべき写真を含む情報をアップロードするためのアップロード画面と、アップロード画面にアップロードされた情報を任意にレイアウトするためのアルバムレイアウト画面を生成してユーザ端末に２のアルバム製作用入力部２２に供給する。また、入力画面生成・供給部６２は、入力情報の各項目に対して選択又は記述入力可能な入力画面を生成してユーザ端末２のアルバム製作用入力部２２に供給すると共に、アルバムのページ数に応じた料金が表示される入力画面をユーザ端末２のアルバム製作用入力部２２に供給する。
【００２９】
また、入力画面受取部６３はアルバム毎に入力済みの入力画面をユーザ端末２のアルバム製作用入力部２２から受け取り、アルバムレイアウト画面受取部６４はアルバムのページ毎にレイアウト済みのアルバムレイアウト画面をユーザ端末２のアルバム製作用入力部２２から受け取る。このとき、入力画面受取部６３は、アルバム毎に入力画面に入力された入力データを含む入力画面のみを受け取り、アルバムレイアウト画面受取部６４は、アルバムのページ毎にアルバムレイアウト画面にレイアウトされたアルバムレイアウトデータを含むアルバムレイアウト画面のみを受け取るようにする。入力画面受取部６３は、受け取った入力画面及びアルバムレイアウト画面をアルバム製作出力部１３に出力する。
【００３０】
図７は、図２に示したアルバム製作出力部１３のブロック図である。
アルバム製作出力部１３は、アルバム製作データ出力部７１とアルバムレイアウトデータ出力部７２から構成されている。アルバム製作データ出力部７１は、アルバム製作支援部１２から受け取った入力画面に含まれる入力データをアルバム製作データとしてアルバム毎に出力するためのものである。アルバムレイアウトデータ出力部７２は、アルバムのページ毎にアルバムレイアウト画面に含まれるアルバムレイアウトデータをアルバムレイアウト及び製本作業に出力する。
【００３１】
これにより、アルバムのページ毎にアルバムレイアウトデータに基づいたアルバムレイアウトが行われ、アルバム毎にアルバム製作データに基づいた台紙による製本作業が行われる。そして、完成したアルバムが発送部によりユーザに発送される。
【００３２】
次に、図３に示したユーザ端末２の詳細な構成について説明する。通信部２１は、図５に示したアルバム製作会社サーバ１の通信部１１と同様であるため、説明を省略する。
図８は、図３に示すアルバム製作用入力部２２の詳細ブロック図である。
このアルバム製作用入力部２２は、入力画面に必要な項目を選択又は記述入力可能にする入力画面選択入力部８１と、写真８２、コメント８３及び必要な場合の音声８４をアップロード画面にアップロード可能にするアップロード画面への写真・コメント・音声データアップロード部８５を備えている。また、アップロード画面にアップロードされた写真８２、コメント８３及び必要な場合の音声８４をアルバムのページ毎にアルバムレイアウト画面にレイアウト可能にするアルバムレイアウト画面への写真・コメント・音声データレイアウト部８６を備えている。アルバムレイアウト画面への写真・コメント・音声データレイアウト部８６は、アルバム製作会社サーバ１のアルバム製作支援部１２との間で、入力画面、アップロード画面及びアルバムレイアウト画面を受信し、入力後の入力画面及びアルバムレイアウト画面を送信する。
【００３３】
このアルバム製作用入力部２２においては、まず、アルバムレイアウト画面に含まれているアップロード画面及びアルバムレイアウト画面の画面表示データが表示される。また、アルバムレイアウト画面上にアプリケーションプログラムを作動するためのアイコンが表示されている。このアイコンをクリックすることにより、ユーザ端末２のＯＳ上においてアップロード動作及びアルバムレイアウト動作が可能となる。
【００３４】
また、アルバム製作用入力部２２において、入力画面に画面表示データが表示されると共に、入力画面にアイコンが表示されているアプリケーションプログラムによりユーザ端末２のＯＳ上において入力動作が実行される。
【００３５】
図９は、アルバム９１の詳細ブロック図である。
図９において、アルバム９１は、ページ開検出部９２と、ＩＣチップメモリなどの音声登録部９３と、ＩＣチップのメモリプレーヤなどの音声再生部９４から構成されている。ページ開検出部９２は、アルバム９１のページが開けられたことを検出する光検出センサなどで形成される。音声登録部９３は、アルバムのページ毎に音声データが登録されているＩＣチップメモリなどのメモリ（記憶装置）である。また、音声再生部９４は、ページが開けられたことが検出されたときに音声登録部９３にアルバムのページ毎に登録されている音声データを再生する機能を有するものである。
図１０は、図３に示した音声出力部２３の具体的使用状態のブロック図である。
図９に示した例では、ページ開検出部９２、音声登録部９３及び音声再生部９４はアルバム９１に装着される例を示したが、これに限らず、音声再生部９４をユーザ端末２の音声出力部２３に設けて、ユーザ端末２のスピーカから音声を再生するようにしてもよい。
【００３６】
図１０は、ユーザ端末２の音声源読取アクセス部２４と音声登録サーバ３の音声登録部３２及び音声再生部３３の詳細ブロック図である。
図１０において、ユーザ端末２の音声源読取アクセス部２４は、ページ開検出部１０２と、ＲＦＩＤリーダ１０３と、音声登録サーバＵＲＬアクセス部１０４と、音声再生部１０５とから構成されている。
【００３７】
ページ開検出部１０２は、アルバム１０１のページが開けられたことを検出する光検出センサなどで形成される。ＲＦＩＤリーダ１０３は、アルバム１０１のページ毎に音声データが登録されている音声登録サーバ３のＵＲＬが記録されているＲＦＩＤタグを読み取るリーダである。音声登録サーバＵＲＬアクセス部１０４は、ＲＦＩＤタグから読み取られたＵＲＬの音声登録サーバ３にアルバム１０１のページ毎にアクセスする手段である。ここで、音声登録サーバ３には、アルバムのページ毎に音声データが登録されている。
【００３８】
音声登録サーバ３の音声登録部３２は、アルバムの識別符号を示すアルバムＩＤを登録するアルバムＩＤ登録部１１１と、アルバムＩＤ毎の音声ファイルをページ毎に異なるアドレスにまとめて登録する音声ファイル登録部１１２とから構成される。なお、音声登録サーバ３のＵＲＬには、アルバム毎にアルバムＩＤが記録されていて、ページ毎に異なるアドレスが記録されている。
【００３９】
音声登録サーバ３の音声再生部３３は、本サーバＵＲＬアクセス受付部１２１と、音声ファイル自動再生部１２２とから構成される。本サーバＵＲＬアクセス受付部１２１は、ページ毎に本サーバのＵＲＬがアクセスされたことを受け付ける。そして、音声ファイル自動再生部１２２は、ページ毎に本サーバのＵＲＬがアクセスされたときに、音声ファイル登録部１１２に登録されている音声ファイルをページ毎に自動再生する。こうしてページ毎に自動再生された音声ファイルはユーザ端末２の音声源読取アクセス部２４の音声再生部１０５で音声出力される。
【００４０】
図１２は、ファイルレイアウトを示す図である。図１２は、ファイルレイアウトの例を示すものであり、このデータ項目に限られるものではない。ファイルデータは、各部で生成又は受信されることにより再利用可能に各部に蓄積される。
図１２Ａに示す音声登録サーバ３の音声登録部３２の音声ファイルのファイルレイアウト１２３は、ユーザＩＤ１２３−１、アルバムＩＤ１２３−２、ページ番号１２３−３、音声データ１２３−４から構成される。
【００４１】
図１２Ｂに示すアルバム製作会社サーバ１のアルバム製作支援部１２の提供画面のファイルレイアウト１２４は、ユーザＩＤ１２４−１、入力画面１２４−２、アップロード画面１２４−３、アルバムレイアウト画面１２４−４から構成される。
図１２Ｃに示すアルバム製作会社サーバ１のアルバム製作出力部１３のアルバムファイルのファイルレイアウト１２５は、ユーザＩＤ１２５−１、アルバムＩＤ１２５−２、アルバム製作データ１２５−３、アルバムレイアウトデータ１２５−４から構成される。
【００４２】
図１２Ｄに示すユーザ端末２のアルバム製作用入力部２２のアルバムレイアウト画面のファイルレイアウト１２６は、ユーザＩＤ１２６−１、ページ番号１２６−２、写真とその配置アドレス１２６−３、音声とその配置アドレス１２６−４、コメントとその配置アドレス１２６−５から構成される。
【００４３】
次に、このように構成されたアルバム製作支援システムの動作について説明する。
図１３は、アルバム製作のためのタイムチャートを示す図である。
すなわち、図１３は、ユーザ端末２とアルバム製作側サーバ１との間の情報のやり取りにより複数の写真を本形式でまとめるアルバムの製作を支援するための処理手順を示している。
【００４４】
図１３に示すように、まず、時刻Ｔ１で、ユーザ端末２からアルバム製作側サーバ１へアルバム製作依頼データ１３１を送信する。
続いて、時刻Ｔ２で、アルバム製作側サーバ１からユーザ端末２へアルバムを製作するための入力画面データ及び料金データ１３２並びにレイアウト画面データを提供する。
【００４５】
具体的には、図６に示したアルバム製作支援部１２のアップロード画面・アルバムレイアウト画面生成・供給部６１が、レイアウトすべき写真を含む情報をアップロードするためのアップロード画面と、アップロード画面にアップロードされた情報を任意にレイアウトするためのアルバムレイアウト画面を生成してユーザ端末に２に供給する。
【００４６】
また、図６に示す入力画面生成・供給部６２が、入力情報の各項目に対して選択又は記述入力可能な入力画面であると共にアルバムのページ数に応じた料金が表示される入力画面を生成してユーザ端末に２に供給する。
【００４７】
次に、時刻Ｔ２〜時刻Ｔ３の間で、アルバム製作側サーバ１から提供された入力画面に対してユーザ端末側でアルバム毎に入力条件を入力すると共に、入力条件に対応するレイアウト画面に対してアルバムのページ毎に写真・コメント・音声データを任意にレイアウトする。
【００４８】
具体的には、図８に示したアルバム製作用入力部２２の入力画面選択入力部８１が、必要な項目を選択して記述入力を可能にする入力画面を提供する。そして、アップロード画面への写真・コメント・音声データアップロード部８５が、写真８２、コメント８３及び必要な場合の音声８４をアップロード画面にアップロード可能にする。
【００４９】
アルバムレイアウト画面への写真・コメント・音声データレイアウト部８６は、アップロード画面にアップロードされた写真８２、コメント８３及び必要な場合の音声８４を、アルバムのページ毎にアルバムレイアウト画面にレイアウト可能にする。
【００５０】
時刻Ｔ３では、ユーザ端末２からアルバム毎に入力済みの入力画面をアルバム製作側サーバ１に送信すると共に、アルバムのページ毎にレイアウト済みのレイアウト画面のページ毎の写真・コメント・音声データ１３３を送信する。
【００５１】
次に、時刻Ｔ３〜時刻Ｔ４の間で、アルバム製作側サーバ１がユーザ端末２から入力済みの入力画面及びレイアウト済みのレイアウト画面のページ毎の写真・コメント・音声データ１３３を受け取って、受け取った情報に基づいてアルバム製作情報を出力する。
【００５２】
具体的には、図６に示したアルバム製作支援部１２の入力画面受取部６３が入力済みの入力画面を受け取る。このとき、アルバムレイアウト画面受取部６４はレイアウト済みのアルバムレイアウト画面を受け取る。
【００５３】
続いて時刻Ｔ４で、ユーザ端末２からアルバム製作依頼終了データ１３４をアルバム製作側サーバ１に送信する。時刻Ｔ５で、アルバム製作側サーバ１がユーザ端末に２アルバム製作依頼終了確認データ１３５を返信する。
【００５４】
時刻Ｔ５〜時刻Ｔ６の間で、アルバム製作側サーバ１が入力画面に含まれる入力データをアルバム製作データとして出力すると共に、アルバムレイアウト画面に含まれるアルバムレイアウトデータを出力する。
【００５５】
具体的には、図7に示したアルバム製作データ出力部７１がアルバム毎に入力画面に入力設定された入力データをアルバム製作データとして出力する。そして、アルバムレイアウト画面に基づくアルバムレイアウトデータ出力部７２がアルバムのページ毎にアルバムレイアウト画面に入力設定されたアルバムレイアウトデータを出力する。
【００５６】
これにより、アルバムのページ毎にアルバムレイアウトデータに基づいたアルバムレイアウトが行われ、アルバム製作データに基づいた台紙による製本作業がアルバム毎に行われる。これでアルバム製作が完了する。
【００５７】
次に、時刻Ｔ６で、アルバム製作側サーバ１からユーザ端末２へアルバム製作完了データ１３６が送信される。このとき、同時にアルバム製作側サーバ１からユーザ端末２に対して課金処理が行われるようにしてもよい。そして、時刻Ｔ７で、アルバム製作側サーバ１からユーザ端末２へアルバム発送完了データ１３７が送信され、完成したアルバムがオフラインでアルバム製作側サーバ１側からユーザ端末２側へ発送される。
【００５８】
図１４は、ユーザ端末２において表示される入力画面１４０の１例であるが、これらの表示項目に限られるものではない。この入力画面１４０は、後述するアップロード画面及びレイアウト画面の提供に先立ってアルバム毎にアルバム製作側サーバ１からユーザ端末２へ提供されるものである。ここで、予めオペレータによりアルバム製作のための入力情報となる形態やページ数量などの必須項目が入力されることにより、入力され必須項目に対応する入力画面１４０の表示項目がアルバム製作支援部１２の入力画面生成・供給部６２により生成される。
【００５９】
図１４において、入力画面１４０の表示項目として、アルバムの台紙サイズ１４１が表示され、この選択要素として、Ａ４，Ｂ５，Ａ５，Ｂ６，Ａ３，Ｂ４などの文字が表示される。そして、選択要素のいずれかをクリックすると表示色が反転してクリックした文字で指定される台紙サイズが選択決定される。なお、上記のサイズ以外に特別なサイズを入力するようにしてもよい。
【００６０】
また、入力画面１４０の表示項目として、アルバムの台紙色１４２が表示され、この選択要素として、青、黄、赤、橙、紫、緑、茶、灰、白などの文字が表示される。そして、選択要素のいずれかをクリックすると、その表示色が反転して、クリックした文字に該当する色が選択決定される。また、上記の色以外に、合成色や地模様を入力することもできる。
【００６１】
また、入力画面１４０の表示項目として、アルバムの枠組パターン１４３が表示される。この選択要素としては、四角、丸、楕円、三角、台形、星、ハートなどの記号や文字が表示される。そして、選択要素のいずれかをクリックするとその記号等の表示色が反転し、選択した枠組パターンが決定される。なお、写真とコメントの枠組パターン１４３の大きさは自由に変えることができることはいうまでもない。
【００６２】
また、入力画面１４０の表示項目として、アルバムの表紙体裁１４４が表示される。この選択要素として、普通、豪華、低廉などの文字が表示される。そして、選択要素のいずれかをクリックするとその表示色が反転し、クリックした文字に相当する表紙体裁が選択決定される。また、趣味、旅行、運動会などのアルバムのカテゴリに応じて体裁を揃えるように入力することもできる。
【００６３】
また、入力画面１４０の表示項目として、アルバムのページ数１４５が表示され、この入力要素として、αページなどが表示される。そして、例えば１００ページなどの入力要素をキー入力した後に入力要素をクリックすると表示色が反転し、ページ数が決定される。
【００６４】
また、入力画面１４０の表示項目として、アルバムの料金１４６が表示される。このアルバム料金１４６としては、ページ数１４５の入力要素に対応して、・・円(αページ×＠)などが表示される。すなわち、ページ数１４５の入力要素に対応して料金１４６の入力要素が表示され、料金１４６の入力要素をクリックすると表示色が反転してアルバムの料金が決定される。
【００６５】
また、入力画面１４０の表示項目として、アルバムの音声入力１４７が表示される。この音声入力１４７は、音声入力を必要とするアルバムのみ、そのページ数に対応して、・・円(βページ×＠)と表示される。つまり、音声入力１４７があるアルバムのページ数の入力要素に対応して音声入力１４７の入力要素が表示されるので、音声入力１４７の入力要素をクリックして表示色を反転させることにより音声入力に関わる料金が決定される。
【００６６】
以上の操作は、図８に示したユーザ端末２におけるアルバム製作用入力部２２の入力画面選択入力部８１が、ユーザ操作に基づいて入力画面に必要な項目を選択又は記述入力可能にする。
【００６７】
図１５は、ユーザ端末２において表示されるアップロード画面１５１及びアルバムレイアウト画面１５６の１例である。
【００６８】
図１５において、アップロード画面１５１にアップロードされた情報は写真１５２−１、１５２−２，１５２−３及び対応するコメント１５３−１、１５３−２，１５３−３を含むものである。また、アルバムレイアウト画面１５６において写真１５２−１、１５２−２，１５２−３のサイズ及びコメント１５３−１、１５３−２，１５３−３のフォントの設定を任意にレイアウトすることができる。フォントの設定は、例えば、フォント種別(明朝、ゴシック等)、スタイル（標準、斜体、太字等）サイズ(ポイント)、色、添え字などである。
【００６９】
また、アップロード画面１５１にアップロードされた情報は写真１５２−１、１５２−２，１５２−３及びコメント１５３−１、１５３−２，１５３−３に対応する音声データ１５４−１、１５４−２，１５４−３を含むものである。
【００７０】
また、写真１５２−１、１５２−２，１５２−３、コメント１５３−１、１５３−２，１５３−３及び音声データ１５４−１、１５４−２，１５４−３は、アップロード画面１５１にアップロードされると写真１５２−１、１５２−２，１５２−３、コメント１５３−１、１５３−２，１５３−３及び音声データ１５４−１、１５４−２，１５４−３がインデックス画像で表すアイコンで表示される。
【００７１】
インデックス画像は、例えば、写真の先頭画像を間引き処理して縮小したサムネイル画像で表示され、対応するコメント及び音声は写真のサムネイル画像と１組であることがわかるようにメモ張やマイクの画像で表示される。
【００７２】
具体的には、図８に示したアルバム製作用入力部２２のアップロード画面への写真・コメント・音声データアップロード部８５が写真８２、コメント８３及び必要な場合の音声８４をアップロード画面にアップロード可能にする。
【００７３】
また、アイコンはマウスでアイコンをクリックした状態で移動させるドラッグアンドドロップ１５７によりアップロード画面１５１からアルバムレイアウト画面１５６へ移動可能とされる。そしてアルバムレイアウト画面１５６上で任意の配置位置にレイアウト可能になっている。このとき、ユーザはアルバムレイアウト画面１５６上で、アイコンをドラッグアンドドロップ１５７することにより希望する配置位置に希望する大きさでアルバムのページをレイアウトすることができる。
【００７４】
このとき、アップロード画面１５１からアルバムレイアウト画面１５６へ写真１５２−１、１５２−２，１５２−３、コメント１５３−１、１５３−２，１５３−３及び音声データ１５４−１、１５４−２，１５４−３のアイコンをドラッグアンドドロップ１５７により移動しても、実際の処理では写真、コメント及び音声のデータがコピーされるのでアップロード画面１５１から移動したデータがなくなることはない。
【００７５】
アップロード画面１５１上でのアップロードされた写真１５２−１、１５２−２，１５２−３、コメント１５３−１、１５３−２，１５３−３及び音声データ１５４−１、１５４−２，１５４−３を表すアイコンの表示と共に、アイコンのアルバムレイアウト画面１５６上での繰り返し使用回数１５５−１，１５５−２，１５５−３を表す数字のアイコン表示をする。
【００７６】
例えば、異なるページに複数回同じ写真１５２−１、１５２−２，１５２−３、コメント１５３−１、１５３−２，１５３−３及び音声データ１５４−１、１５４−２，１５４−３が使用されたときは、繰り返し使用回数１５５−１，１５５−２，１５５−３を表す数字のアイコン表示が使用回数だけインクリメントされる。
【００７７】
アルバムレイアウト画面１５６は、アルバムのページ毎に選択されたページ番号１５８の画面に切り替えて表示されるものであり、ページ毎にアルバム製作側サーバ１からユーザ端末２へ提供される。また、アップロード画面１５１はアルバムのページ毎にスクロール可能に表示されるものであり、アルバム毎にアルバム製作側サーバ１からユーザ端末２へ提供される。
【００７８】
具体的には、図８に示したアルバム製作用入力部２２のアルバムレイアウト画面への写真・コメント・音声データレイアウト部８６は、アップロード画面にアップロードされた写真８２、コメント８３及び必要な場合の音声８４をアルバムのページ毎にアルバムレイアウト画面にレイアウト可能にする。
【００７９】
なお、アップロード画面１５１上への写真１５２−１、１５２−２，１５２−３、コメント１５３−１、１５３−２，１５３−３及び音声データ１５４−１、１５４−２，１５４−３のアップロードは、以下のようにして行ってもよい。
【００８０】
例えば、ユーザ端末２への着脱自在のフラッシュメモリ、ＵＳＢ（Universal Serial Bus）メモリ等の半導体記録媒体や、ＣＤ（Compact Disc）、ＤＶＤ（Digital Versatile Disk）等のディスク状記録媒体を装着することにより、記録媒体に記録されている写真１５２−１、１５２−２，１５２−３及び音声データ１５４−１、１５４−２，１５４−３のアップロードを行い、コメント１５３−１、１５３−２，１５３−３は、直接ユーザ端末２からキー入力するようにしてもよい。
【００８１】
また、デジタルカメラやビデオカメラ内のメモリに記録されている撮像された写真１５２−１、１５２−２，１５２−３及び音声データ１５４−１、１５４−２，１５４−３をＵＳＢケーブル等を介してアップロードするようにしてもよい。また、ネットワーク４を介して外部のサーバや端末からダウンロードした写真１５２−１、１５２−２，１５２−３及び音声データ１５４−１、１５４−２，１５４−３をアップロードするようにしてもよい。
【００８２】
以下、完成して発送されたアルバムのページをユーザが開くときに、アルバムに音声データが直接記録されている場合、又は音声データの再生源のアドレスが記録されている場合の音声再生手順について説明する。
【００８３】
図１６は、音声再生手順１を示す図である。
図１６に示すアルバムの音声データとして音声１、音声２、音声３が記録されているアルバムのページ１６１には、音声１（１６４−１）、音声２（１６４−２）、音声３（１６４−３）の音声データを記録したＩＣチップ１６５が埋め込まれるように添付されている。音声データ１６４−１、１６４−２、１６４−３は、写真１６２−１、１６２−２，１６２−３及びコメント１６３−１、１６３−２，１６３−３に対応するものである。
【００８４】
まず、アルバムの音声データが記録されているページが開けられたか否かを判断する(ステップＳ１)。具体的には、図９に示した音声出力部２３のページ開検出部９２は、１６６で示すようにアルバムの該当するページ１６１が開けられたことを検出する。
【００８５】
判断ステップＳ１で、アルバムの音声データが記録されているページが開けられたときは、ステップＳ２で、このページの音声１，２，３を再生する。具体的には、図９に示した音声出力部２３の音声登録部９３に予めアルバムのページ毎に音声データが登録されている。そこで、音声再生部９４はページが開けられたことが検出されたときに音声登録部９３にアルバムのページ毎に登録されている音声データを再生する。
【００８６】
この場合、ＩＣチップ１６５には、光検出センサと音声記録メモリとメモリプレーヤなどが設けられている。ここではアルバムから直接音声を再生する例を示したが、これに限らず、音声再生部９４の音声を再生するスピーカをユーザ端末２に設けて、音声再生部９４とユーザ端末２とをケーブルにより電気的に接続して、ユーザ端末２のスピーカから音声を再生するようにしてもよい。
【００８７】
また、音声再生部９４そのものをユーザ端末２に設けてもよい。この場合、ページ開検出部９２とユーザ端末２とをケーブルにより電気的に接続して、ユーザ端末２のスピーカから音声を再生する。
【００８８】
このようにアップロードされた情報が写真及びコメントに対応する音声データを含むものである場合には、ＩＣチップ１６５などの記憶媒体に記録されている音声データは当該ページが開かれる毎にアルバムから直接又はユーザ端末において再生される。この場合、予めアルバムのページ毎に音声データがＩＣチップ１６５に再生可能に録音されている。ＩＣチップ１６５は音声データが記録されているアルバムのページ毎に配置される。
【００８９】
図１７は、音声再生手順２を示す図である。
図１７に示すアルバムの音声データとして音声４、音声５、音声６が記録されているアルバムのページ１７１には、音声４(１７４−１)、音声５（１７４−２）、音声６（１７４−３）の音声データが登録されている音声登録サーバ３のＵＲＬを記録したＲＦＩＤタグ１７５が埋め込まれるように添付されている。音声データ１７４−１、１７４−２、１７４−３は、写真１７２−１、１７２−２，１７２−３及びコメント１７３−１、１７３−２，１７３−３に対応するものである。
【００９０】
まず、アルバムの音声データが記録されているページが開けられたか否かを判断する(ステップＳ１１)。具体的には、図１０に示した音声源読取アクセス部２４のページ開検出部１０２は、１７６で示すようにアルバムの該当するページ１７１が開けられたことを検出する。
【００９１】
判断ステップＳ１１で、アルバムの音声データが記録されているページが開けられたときは、ステップＳ１２で、ＲＦＩＤリーダ１０３は、アルバム１０１のページ毎に音声データが登録されている音声登録サーバ３のＵＲＬが記録されているＲＦＩＤタグ１７５の情報を読み取る。
【００９２】
このとき、音声登録サーバ３には、予めアルバムのページ毎に音声データが登録されている。そこで、音声登録サーバＵＲＬアクセス部１０４は、ＲＦＩＤタグ１７５から読み取られたＵＲＬの音声登録サーバ３にアルバム１０１のページ毎にアクセスする。
【００９３】
ステップＳ１２で、音声登録サーバＵＲＬアクセス部１０４は、ページが開けられたことが検出されたときに音声登録サーバ３にアルバムのページ毎に登録されている該当ページの音声４，５，６の音声データを自動再生する。
【００９４】
このようにアップロードされた情報が写真及びコメントに対応する音声データを含むものである場合には、アルバムのページ毎に配置されるＲＦＩＤタグ１７５に記録されている音声登録サーバ３のＵＲＬを読み取り、音声登録サーバ３に登録されている該当ページの音声４，５，６の音声データを自動再生する。
【００９５】
この場合、予めアルバムのページ毎に音声データが音声登録サーバ３に再生可能に録音されている。また、アルバムのページ毎に音声データに対応する音声登録サーバ３のＵＲＬがアクセス可能にＲＦＩＤタグ１７５に記録されている。ＲＦＩＤタグ１７５は音声データが記録されているアルバムのページ毎に配置される。
【００９６】
具体的には、図１１に示した音声登録サーバ３における音声登録部３２のアルバムＩＤ登録部１１１には、予めアルバムの識別符号を示すアルバムＩＤが登録されている。また、音声ファイル登録部１１２には、アルバムＩＤ毎の音声ファイルがページ毎に異なるアドレスにまとめて登録されている。従って、音声登録サーバ３のＵＲＬには、予めアルバム毎にアルバムＩＤが記録されていて、続いて、ページ毎に異なるアドレスが記録されている。
【００９７】
そこで、図１２に示した音声登録サーバ３における音声再生部３３の本サーバＵＲＬアクセス受付部１２１は、ページ毎に本サーバのＵＲＬがアクセスされたことを受け付ける。そして、音声ファイル自動再生部１２２は、ページ毎に本サーバのＵＲＬがアクセスされたときに音声ファイル登録部１１２に登録されている音声ファイルをページ毎に自動再生する。従って、ページ毎に自動再生された音声ファイルはユーザ端末２で音声出力される。
【００９８】
上述した本実施の形態に限らず、本発明の要旨を変更しない範囲内であれば、適宜、変更しうることはいうまでもない。
【図面の簡単な説明】
【００９９】
【図１】本発明のアルバム製作支援システムの概略構成を示すシステム構成図である。
【図２】アルバム製作会社サーバのブロック構成図である。
【図３】ユーザ端末のブロック構成図である。
【図４】音声登録サーバのブロック構成図である。
【図５】通信部のブロック図である。
【図６】アルバム製作支援部のブロック図である。
【図７】アルバム製作出力部のブロック図である。
【図８】アルバム製作用入力部のブロック図である。
【図９】アルバムのブロック図である。
【図１０】音声出力部のブロック図である。
【図１１】ユーザ端末の音声源読取アクセス部と音声登録サーバの音声登録部及び音声再生部のブロック図である。
【図１２】ファイルレイアウトを示す図であり、図１２Ａは音声登録サーバの音声登録部の音声ファイルのファイルレイアウト、図１２Ｂはアルバム製作会社サーバのアルバム製作支援部の提供画面のファイルレイアウト、図１２Ｃはアルバム製作会社サーバのアルバム製作出力部のアルバムファイルのファイルレイアウト、図１２Ｄはユーザ端末のアルバム製作用入力部のアルバムレイアウト画面のファイルレイアウトである。
【図１３】アルバム製作タイムチャートを示す図である。
【図１４】入力画面を示す図である。
【図１５】アップロード画面及びアルバムレイアウト画面を示す図である。
【図１６】音声再生手順１を示す図である。
【図１７】音声再生手順２を示す図である。
【符号の説明】
【０１００】
１…アルバム製作会社サーバ、２…ユーザ端末、３…音声登録サーバ、４…ネットワーク、１１…通信部、１２…アルバム製作支援部、１３…アルバム製作出力部、２１…通信部、２２…アルバム製作用入力部、２３…音声出力部、２４…音声源読取アクセス部、３１…通信部、３２…音声登録部、３３…音声再生部、５１…送受信部、５２…認証部、５３…施錠／開錠部、６１…アップロード画面・アルバムレイアウト画面生成・供給部、６２…入力画面生成・供給部、６３…入力画面受取部、６４…アルバムレイアウト画面受取部、７１…入力画面に基づくアルバム製作データ出力部、７２…アルバムレイアウト画面に基づくアルバムレイアウトデータ出力部、８１…入力画面選択入力部、８２…写真、８３…コメント、８４…音声、８５…アップロード画面への写真・コメント・音声データアップロード部、８６…アルバムレイアウト画面への写真・コメント・音声データレイアウト部、９１…アルバム、９２…ページ開検出部、９３…音声登録部、９４…音声再生部、１０１…アルバム、１０２…ページ開検出部、１０３…ＲＦＩＤリーダ、１０４…音声登録サーバＵＲＬアクセス部、１１１…アルバムＩＤ登録部、１１２…音声ファイル登録部、１２１…本サーバＵＲＬアクセス受付部、１２２…音声ファイル自動再生部、１３１…アルバム製作依頼データ、１３２…入力画面データ及び料金データ、１３３…ページ毎の写真・コメント・音声データ、１３４…アルバム製作依頼終了データ、１３５…アルバム製作依頼終了確認データ、１３６…アルバム製作完了データ、１３７…アルバム発送完了データ、１４１…台紙サイズ、１４２…台紙色、１４３…枠組パターン、１４４…表紙体裁、１４５…ページ数、１４６…料金、１４７…音声入力、１５１…アップロード画面、１５２−１，１５２−２，１５２−３…写真、１５３−１，１５３−２，１５３−３…コメント、１５４−１，１５４−２，１５４−３…音声データ、１５５−１…繰り返し使用回数、１５５−２，１５５−３，１５６…アルバムレイアウト画面、１５８…ページ番号、１６１…アルバムのページ、１６２−１，１６２−２，１６２−３…写真、１６３−１，１６３−２，１６３−３…コメント、１６４−１，１６４−２，１６４−３…音声データ、１６５…ＩＣチップ、１７１…アルバムのページ、１７２−１，１７２−２，１７２−３…写真、１７３−１，１７３−２，１７３−３…コメント、１７４−１，１７４−２，１７４−３…音声データ、１７５…ＲＦＩＤタグ
【図１】
2008129939.tif 000003
【図２】
2008129939.tif 000004
【図３】
2008129939.tif 000005
【図４】
2008129939.tif 000006
【図５】
2008129939.tif 000007
【図６】
2008129939.tif 000008
【図７】
2008129939.tif 000009
【図８】
2008129939.tif 000010
【図９】
2008129939.tif 000011
【図１０】
2008129939.tif 000012
【図１１】
2008129939.tif 000013
【図１２】
2008129939.tif 000014
【図１３】
2008129939.tif 000015
【図１４】
2008129939.tif 000016
【図１５】
2008129939.tif 000017
【図１６】
2008129939.tif 000018
【図１７】
2008129939.tif 000019